(57)【特許請求の範囲】
【請求項１】
浴槽内壁面に浴槽内に突出するように配置される槽内突出部を備え、前記槽内突出部の外周側面に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち、前記一方の開口に対応する一方の流路に吸い込まれて浴槽外に流出されるようにした浴槽用給湯口アダプターであって、
前記槽内突出部の内部に、前記一方の流路に連通された調圧流路が設けられるとともに、その調圧流路の流入口が、前記槽内突出部の外面に設けられ、
お湯の吸引時に前記一方の開口の少なくとも一部が閉塞された際に、前記調圧流路の流入口から浴槽内のお湯が吸い込まれて、そのお湯が前記調圧流路を通って、前記一方の流路に流入されるように構成され、
前記調圧流路の流入口が、前記槽内突出部における後面に設けられたことを特徴とする浴槽用給湯口アダプター。
【請求項２】
前記調圧流路の流入口が、前記槽内突出部の外壁に形成される多数の小孔によって構成される請求項１に記載の浴槽用給湯口アダプター。
【請求項３】
前記小孔の外径が０．５〜０．７ｍｍに設定される請求項２に記載の浴槽用給湯口アダプター。
【請求項４】
前記調圧流路の流入口が、前記槽内突出部の外壁に形成される複数のスリットによって構成される請求項１に記載の浴槽用給湯口アダプター。
【請求項５】
前記スリットは、その流通方向が途中で折れ曲がる「く」の字状に形成される請求項４に記載の浴槽用給湯口アダプター。
【請求項６】
前記スリットの幅が０．５〜０．７ｍｍに設定される請求項４または５に記載の浴槽用給湯口アダプター。
【請求項７】
前記槽内突出部をカバーするためのカバー部材が槽内突出部に着脱自在に設けられ、
前記槽内突出部の前記第１，第２開口に対応して、前記カバー部材に第１，第２開口が設けられ、そのカバー部材側の各開口に、着脱自在にフィルター部品が設けられる請求項１〜６のいずれか１項に記載の浴槽用給湯口アダプター。
【請求項８】
前記槽内突出部の第１，第２流路における前記第１，第２開口近傍に、異物の侵入を防止するための格子状部材が設けられる請求項１〜７のいずれか１項に記載の浴槽用給湯口アダプター
【請求項９】
浴槽内壁面に浴槽内に突出するように配置される槽内突出部を備え、前記槽内突出部の外周側面に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち、前記一方の開口に対応する一方の流路に吸い込まれて浴槽外に流出されるようにした浴槽用給湯口アダプターであって、
前記槽内突出部の内部に、前記第１，第２流路に連通された第１，第２調圧流路がそれぞれ設けられるとともに、その第１，第２調圧流路の各流入口が、前記槽内突出部の外面に設けられ、
お湯の吸引時に前記一方の開口の少なくとも一部が閉塞された際に、前記第１，第２調圧流路のうち、前記一方の流路に対応する一方の調圧流路の流入口から浴槽内のお湯が吸い込まれて、そのお湯が一方の調圧流路を通って、前記一方の流路に流入されるように構成され、
前記調圧流路の流入口が、前記槽内突出部における後面に設けられたことを特徴とする浴槽用給湯口アダプター。
【発明の詳細な説明】
【技術分野】
【０００１】
この発明は、浴槽の内壁部に給湯用として取り付けられる浴槽用給湯口アダプターに関する。
【背景技術】
【０００２】
浴槽の側壁に取り付けられる給湯口アダプターは、内部に複雑な流路が設けられた流路仕切部材を備えている。このような流路仕切部材の前部には、浴槽内壁面から突出する態様に配置される円盤状の槽内突出部が設けられており、この槽内突出部の外周側面の両側には、２つの開口が設けられている。そして下記特許文献１に示す弁無しの無極性タイプと称される給湯口アダプターでは、追い焚き時に、吸引側となる一方の開口（吸引口）から浴槽内のお湯が吸引されて室外の給湯機に戻されるとともに、給湯機から供給されるお湯が吐出側となる他方の開口（吐出口）から浴槽内に供給されるようになっている。
【０００３】
このような給湯口アダプターは、槽内突出部にフィルターとしてカバー部材が取り付けられているが、このカバー部材が取り外された状態で、入浴しながら、追い焚きを行うような場合、吸引口から吸引されるお湯に伴って、入浴者の髪の毛等の毛髪が吸い込まれてしまうことがある。
【０００４】
そこで下記特許文献２の給湯口アダプターは、槽内突出部の前面における吸引口の近傍に負圧軽減開口部を形成し、吸引口に髪の毛が吸い込まれた際に、負圧軽減開口部からお湯を吸引させることによって、負圧（吸引力）を軽減させて、髪の毛を簡単に抜き取ることができるようにしている。
【先行技術文献】
【特許文献】
【０００５】
【特許文献１】特開２００２−３４０４１５号公報
【特許文献２】特開２００３−９０６２８号公報
【発明の概要】
【発明が解決しようとする課題】
【０００６】
しかしながら、上記特許文献２に示す従来の給湯口アダプターは、槽内突出部における吸引口と隣接した位置に、負圧軽減開口部を形成するものであるため、外周側面の吸引口から髪の毛が吸い込まれた際に、残りの他の髪の毛等によって、負圧軽減開口部が閉塞されてしまうことがあり、そうなると、吸引力が軽減されず、髪の毛を抜き取ることが困難になるという課題があった。
【０００７】
この発明は、上記の課題に鑑みてなされたものであり、吸引側となる開口から髪の毛が吸い込まれたとしても、その髪の毛を無理なく簡単に抜き取ることができる浴槽用給湯口アダプターを提供することを目的とする。
【課題を解決するための手段】
【０００８】
上記課題を解決するため、本発明は、以下の手段を備えるものである。
【０００９】
［１］浴槽内壁面に浴槽内に突出するように配置される槽内突出部を備え、前記槽内突出部の外周側面に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち、前記一方の開口に対応する一方の流路に吸い込まれて浴槽外に流出されるようにした浴槽用給湯口アダプターであって、
前記槽内突出部の内部に、前記一方の流路に連通された調圧流路が設けられるとともに、その調圧流路の流入口が、前記槽内突出部の外面に設けられ、
お湯の吸引時に前記一方の開口の少なくとも一部が閉塞された際に、前記調圧流路の流入口から浴槽内のお湯が吸い込まれて、そのお湯が前記調圧流路を通って、前記一方の流路に流入されるように構成されたことを特徴とする浴槽用給湯口アダプター。
【００１０】
［２］前記調圧流路の流入口が、前記槽内突出部における後面に設けられる前項１に記載の浴槽用給湯口アダプター。
【００１１】
［３］前記調圧流路の流入口が、前記槽内突出部における外周側面に設けられる前項１に記載の浴槽用給湯口アダプター。
【００１２】
［４］前記調圧流路の流入口が、前記槽内突出部における前面に設けられる前項１に記載の浴槽用給湯口アダプター。
【００１３】
［５］前記調圧流路の流入口が、前記槽内突出部の外壁に形成される多数の小孔によって構成される前項１〜４のいずれか１項に記載の浴槽用給湯口アダプター。
【００１４】
［６］前記小孔の外径が０．５〜０．７ｍｍに設定される前項５に記載の浴槽用給湯口アダプター。
【００１５】
［７］前記調圧流路の流入口が、前記槽内突出部の外壁に形成される複数のスリットによって構成される前項１〜４に記載の浴槽用給湯口アダプター。
【００１６】
［８］前記スリットは、その流通方向が途中で折れ曲がる「く」の字状に形成される前項７に記載の浴槽用給湯口アダプター。
【００１７】
［９］前記スリットの幅が０．５〜０．７ｍｍに設定される前項７または８に記載の浴槽用給湯口アダプター。
【００１８】
［１０］前記槽内突出部をカバーするためのカバー部材が槽内突出部に着脱自在に設けられ、
前記槽内突出部の前記第１，第２開口に対応して、前記カバー部材に第１，第２開口が設けられ、そのカバー部材側の各開口に、着脱自在にフィルター部品が設けられる前項１〜９のいずれか１項に記載の浴槽用給湯口アダプター。
【００１９】
［１１］前記槽内突出部の第１，第２流路における前記第１，第２開口近傍に、異物の侵入を防止するための格子状部材が設けられる前項１〜１０のいずれか１項に記載の浴槽用給湯口アダプター
［１２］浴槽内壁面に浴槽内に突出するように配置される槽内突出部を備え、前記槽内突出部の外周側面に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち、前記一方の開口に対応する一方の流路に吸い込まれて浴槽外に流出されるようにした浴槽用給湯口アダプターであって、
前記槽内突出部の内部に、前記第１，第２流路に連通された第１，第２調圧流路がそれぞれ設けられるとともに、その第１，第２調圧流路の各流入口が、前記槽内突出部の外面に設けられ、
お湯の吸引時に前記一方の開口の少なくとも一部が閉塞された際に、前記第１，第２調圧流路のうち、前記一方の流路に対応する一方の調圧流路の流入口から浴槽内のお湯が吸い込まれて、そのお湯が一方の調圧流路を通って、前記一方の流路に流入されるように構成されたことを特徴とする浴槽用給湯口アダプター。
【発明の効果】
【００２０】
発明［１］〜［４］の浴槽用給湯口アダプターによれば、一方の流路（吸引流路）に通じる一方の開口（吸引口）から髪の毛が吸い込まれた際には、吸引流路に対応する調圧流路を介して、浴槽内のお湯が吸引流路内に吸い込まれる。これにより、吸引流路内の負圧が低減されて、吸引力が低下するため、吸引口に吸い込まれた髪の毛を、弱い力で簡単に抜き取ることができる。特に本発明においては、一方の流路と、調圧流路流入口とを、調圧流路を介して設けるものであるため、調圧流路流入口と、一方の開口とを遠ざけて配置することができる。このため、調圧流路流入口が、残りの他の髪の毛等によって閉塞されるようなことがなく、髪の毛吸引時に、吸引力を確実に低減させることができる。
【００２１】
発明［５］〜［９］の浴槽用給湯口アダプターによれば、調圧流路流入口から、髪の毛等の異物が侵入するのをより一層確実に防止することができる。
【００２２】
発明［１０］の浴槽用給湯口アダプターによれば、第１，第２開口のうち、吐出側の開口に対するするフィルター部品だけを取り外すことができ、それにより吐出側の開口の流通抵抗が小さくなるため、お湯を効率良くスムーズに浴槽内に吐出することができる。
【００２３】
発明［１１］の浴槽用給湯口アダプターによれば、髪の毛吸引時に、髪の毛が格子状部材に引っかかるため、髪の毛が奥部まで入り込むのを防止でき、髪の毛をより一層簡単に抜き取ることができる。
【００２４】
発明［１２］によれば、第１，第２流路の双方に、調圧流路（第１，第２調圧流路）を設けるものであるため、上記と同様に、同様の効果を奏する上で、特に無極性タイプとして好適な浴槽用給湯口アダプターを提供することができる。
【図面の簡単な説明】
【００２５】
【図１】図１はこの発明の第１実施形態である浴槽用給湯口アダプターを示す側面断面図である。
【図２】図２は第１実施形態の給湯口アダプターを分解して示す斜視図である。
【図３】図３は第１実施形態における給湯口アダプターの槽内側部品を示す断面図である。
【図４】図４は第１実施形態における給湯口アダプターの槽内側部品を分解して示す斜視図である。
【図５】図５は第１実施形態の給湯口アダプターにおける槽外取付部材を示す正面図である。
【図６】図６は第１実施形態における給湯口アダプターの流路仕切部材をカバー部材を取り付けた状態で示す一部切欠斜視図である。
【図７】図７は第１実施形態における給湯口アダプターの流路仕切部材およびカバー部材を分解して示す斜視図である。
【図８】図８は第１実施形態の給湯口アダプターにおける流路仕切部材を示す一部切欠斜視図である。
【図９】図９は第１実施形態の給湯口アダプターにおける流路仕切部材を示す図であって、同図（ａ）は正面図、同図（ｂ）は側面図、同図（ｃ）は下面図である。
【図１０】図１０は第１実施形態の給湯口アダプターにおける流路仕切部材を前壁（前蓋）を取り外した状態で示す図であって、同図（ａ）は正面図、同図（ｂ）は側面図、同図（ｃ）は下面図である。
【図１１】図１１は第１実施形態の給湯口アダプターにおけるカバー部材を示す図であって、同図（ａ）は正面図、同図（ｂ）は側面図、同図（ｃ）は下面図である。
【図１２】図１２はこの発明の第２実施形態である浴槽用給湯口アダプターを示す正面断面図である。
【図１３Ａ】図１３Ａは第２実施形態の浴槽用給湯口アダプターにおける流路仕切部材を示す正面図である。
【図１３Ｂ】図１３Ｂは第２実施形態の浴槽用給湯口アダプターにおける流路仕切部材を示す側面図である。
【図１４】図１４は第２実施形態の浴槽用給湯口アダプターにおける流路仕切部材を前壁（前蓋）を取り外した状態で示す正面図である。
【図１５】図１５はこの発明の第３実施形態である浴槽用給湯口アダプターを分解して示す斜視図である。
【図１６】図１６は第３実施形態における給湯口アダプターの流路仕切部材を分解して示す斜視図である。
【図１７】図１７は第３実施形態の流路仕切部材を示す正面図である。
【図１８】図１８は第３実施形態の流路仕切部材を裏面側から見た斜視図である。
【発明を実施するための形態】
【００２６】
＜第１実施形態＞
図１，２はこの発明の第１実施形態である浴槽用給湯口アダプターを示す図である。両図に示すように、この実施形態の給湯口アダプターは、浴槽の側壁Ｗに設けられた取付孔Ｈに組み付けられる。この給湯口アダプターは、室外の給湯機から供給されたお湯を浴槽内に供給する湯はり処理の他に、浴槽内のお湯を吸い込んで室外の給湯機に送り、そこで再加熱して、高温のお湯を浴槽内に戻すようにした追い焚き処理を行えるものである。
【００２７】
なおこの給湯口アダプターは、以下に詳述するように、このアダプターが備える２つの外管接続部１ａ，１ｂに対して、給湯機につながる往き管および戻り管のどちらを接続しても使用可能な、いわゆる無極性タイプのものである。さらにアダプター内部に、逆流防止弁等の水の流動を制御するための流動制御弁が設けられない弁無しタイプのものである。
【００２８】
本実施形態の給湯口アダプターは、槽外取付部材１と、雄ねじ部材２と、流路仕切部材３と、カバー部材９とを基本的な構成要素として備えている。なお、以下の説明においては、給湯口アダプターの軸心方向に沿って浴槽に対して内側（図１の左側）を「前側」または「正面側」とし、浴槽に対して外側（図１の右側）を「後側」または「裏面側」として説明する。
【００２９】
図１，２，５に示すように槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の後端閉塞壁に設けられる管状の第１，第２外管接続部１ａ，１ｂとを一体に有している。
【００３０】
内筒部１１の内部空間は、後述の内側流路Ａの一部として構成されるとともに、内筒部１１および外筒部１２間の環状空間は、後述の外側流路Ｂの一部として構成されている。上記第１外管接続部１ａが内側流路Ａに連通されるとともに、第２外管接続部１ｂが外側流路Ｂに連通されている。
【００３１】
外筒部１２の前部内周面には、雄ねじ部材２に組み付けるための雌ねじが刻設されている。さらに図１に示すように内筒部１１の内周面には、合成ゴム製のＯリング８１が収容されている。
【００３２】
槽外取付部材１のフランジ部１５の外周縁部には、そのフランジ部１５と浴槽外壁面との間の水密を図るための合成樹脂製のパッキン８２が取り付けられている。
【００３３】
図１〜４に示すように雄ねじ部材２は、前後両端が開放された円筒形状の胴部２１と、その胴部２１の前端外周に設けられた平板リング状のフランジ部２５とを一体に有する鍔付き円筒形状の硬質合成樹成形品をもって構成されている。
【００３４】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００３５】
フランジ部２５の前面側には、周方向に沿って所定の間隔おきに複数のロック凹部２６が形成されている（図２等参照）。
【００３６】
さらにフランジ部２５の外周縁部には図２，４に示すように、周方向に間隔をおいて複数の係止溝２７が形成されている。各係止溝２７は、前面側（入口側）において周方向の一端のみが開放されるとともに、後面側（奥側）において周方向の全域が開放されており、側方（外径方向）から見た状態においてＬ字形に形成されている。
【００３７】
雄ねじ部材２におけるフランジ部２５の後面側（裏面側）には、浴槽内壁面との間に介在されるように、合成ゴム製のリング状パッキン８３が設けられている（図１参照）。
【００３８】
そして、槽外取付部材１のフランジ部１５が、浴槽の外壁面における取付孔Ｈの周縁部に沿うように配置された状態で、雄ねじ部材２のフランジ部２５が、パッキン８３を介して浴槽内壁面における取付孔Ｈの周縁部に圧接されるようにして、雄ねじ部材２の胴部２１が取付孔Ｈを通じて、槽外取付部材１の外筒部１２にねじ込まれて固定される。これにより両部材１，２のフランジ部１５，２５によって、浴槽側壁Ｗにおける取付孔周縁部が挟持されて、両部材１，２が浴槽側壁Ｗに貫通状態に組み付けられる。
【００３９】
図６〜１０に示すように、流路仕切部材３は、軸心方向（前後方向）に延びる細長い円筒形状の円筒部３１と、その円筒部３１の前端部に設けられた円盤状の槽内突出部４とを有している。
【００４０】
槽内突出部４は、内部に複数の流路が設けられる中空構造を有しており、円形板状の後壁４１と、後壁４１の前面側外周を囲うようにして一体に形成された外周壁４２と、外周壁４２の前面側開口を閉塞する蓋材からなる前壁５とを備えている。
【００４１】
なお本実施形態において、槽内突出部４の後壁４１および外周壁４２と、前壁５とによって、槽内突出部４の外壁が構成されるとともに、槽内突出部４の外壁面によって、槽内突出部４の外面が構成されている。
【００４２】
円筒部３１は、後述するように槽外取付部材１の内筒部１１に接続されるものであり、円筒部３１の内部と、それに連通する槽外取付部材１における内筒部１１の内部とによって、内側流路Ａが形成される。さらに円筒部３１は、後述するように雄ねじ部材２の胴部２１の内部に配置されるものであり、円筒部３１および胴部２１間の環状空間と、それに連通する槽外取付部材１における内筒部１１および外筒部１２間の環状空間とによって、外側流路Ｂが形成される。
【００４３】
図１０等に示すように、槽内突出部４の後壁４１には、円筒部３１に対応して、第１連通孔４１ａが形成されるとともに、円筒部３１の側方に対応して、円弧状の第２連通孔４１ｂが形成されている。さらに外周壁４２の下部両側には、第１，第２開口４２ａ，４２ｂが形成されている。
【００４４】
図７，１０に示すように後壁４１の前面側には、複数の仕切壁４３が形成されており、この仕切壁４３によって、槽内突出部４内に、互いに独立する第１，第２流路４３ａ，４３ｂが形成されている。
【００４５】
第１流路４３ａは、第１連通孔４１ａから第１開口４２ａにかけて形成されており、第１連通孔４１ａを介して、槽内突出部４の後方における円筒部３１の内側（内側流路Ａ）に連通されるとともに、第１開口４２ａを介して、外部（浴槽内）に開放されている。
【００４６】
第２流路４３ｂは、第２連通孔４１ｂから第２開口４２ｂにかけて形成されており、第２連通孔４１ｂを介して、槽内突出部４の後方における円筒部３１の外側（外側流路Ｂ）に連通されるとともに、第２開口４２ｂを介して、外部（浴槽内）に開放されている。
【００４７】
また槽内突出部４内には、第１流路４３ａの側方に隣接して第１調圧流路６ａが設けられるとともに、第２流路４３ｂの側方に隣接して第２調圧流路６ｂが設けられている。
【００４８】
第１，第２調圧流路６ａ，６ｂは、第１，第２流路４３ａ，４３ｂにそれぞれ連通されており、各連通部が流出口６１ａ，６１ｂとして構成されている。
【００４９】
槽内突出部４における後壁４１の両側部には、第１，第２調圧流路６ａ，６ｂに対応して、第１，第２調圧流路６ａ，６ｂの流入口６２ａ，６２ｂが形成されている。各流入口６２ａ，６２ｂは、多数の小径貫通孔（小孔）によって形成されている。
【００５０】
また後壁４１の後面における第１，第２調圧流路流入口６２ａ，６２ｂの内周側（軸心側）には、雄ねじ部材２との間の水密を図るための環状の合成ゴム製パッキン８４が周方向に沿って連続して設けられている（図４等参照）。つまり、調圧流路流入口６２ａ，６２ｂは、パッキン８４の外側に配置されており、これにより調圧流路流入口６２ａ，６２ｂは、アダプター内ではなく、浴槽側に開放されている。
【００５１】
図８〜１０に示すように、槽内突出部４内の第１，第２流路４３ａ，４３ｂにおける第１，第２開口４２ａ，４２ｂの近傍には、格子状部材４５，４５が設けられており、開口４２ａ，４２ｂから吸い込まれた髪の毛等の異物が、給湯機側に吸い込まれないようにしている。
【００５２】
槽内突出部４の前壁５における第１，第２開口４２ａ，４２ｂと格子状部材４５，４５間には、流路４３ａ，４３ｂの幅方向に沿って複数の矩形孔５２…が形成されている。
【００５３】
図３，４に示すように、槽内突出部４の外周壁４２における後端部には、全周にわたって後方へ突出する後方突縁部４６が設けられており、その後方突縁部４６の内周側の数箇所に係止突起４７が周方向に間隔をおいて突設されている。
【００５４】
槽内突出部４における外周壁４２の外周側面には、周方向に沿って間隔をおいて複数の係止溝４８が形成されている。各係止溝４８は、前面側（入口側）において周方向の一端のみが開放されるとともに、後面側（奥側）において周方向に沿って延びるように形成されており、側方（外径方向）から見た状態においてＬ字形に形成されている。
【００５５】
図７〜１０に示すように槽内突出部４の上側部には、ロックピン装着孔５５が設けられている。このロックピン装着孔５５には前面側からロックピン５６が後方へ押し込み可能に挿入されている。このロックピン５６は、後方に押し込んだ状態（ロック状態）では、ピン５６の先端（後端）が、槽内突出部４の後壁４１の後面から後方へ突出して配置されるとともに、手前に引き寄せた状態（ロック解除状態）では、ピン５６の先端が、槽内突出部４内に収容されて、後壁４１の後面から後方へ突出しないようになっている。さらにこのロックピン５６は、ロック状態（押込状態）と、ロック解除状態（引寄状態）とのいずれの状態においても固定可能に構成されており、例えばロック解除状態のロックピン５６を指で押し込めば、ロック状態に移行できるとともに、ロック状態のロックピン５６をピンセット等を用いて手前に引き寄せれば、ロック解除状態に移行できるようになっている。
【００５６】
以上の構成の流路仕切部材３を、浴槽側壁Ｗに組み付けられた槽外取付部材１および雄ねじ部材２に組み付けるには図１〜４に示すように、ロックピン５６をロック解除状態（引寄状態）に設定した流路仕切部材３における円筒部３１を、雄ねじ部材２の内部に配置される槽外取付部材１の内筒部１１に挿入する。
【００５７】
さらに流路仕切部材３における槽内突出部４の後方突縁部４６を、雄ねじ部材２のフランジ部２５の前面側から外嵌しつつ、流路仕切部材３の係止突起４７を、雄ねじ部材２側の係止溝２７に前面側から挿入する。その後、流路仕切部材３を周方向に少量捻回操作することにより、流路仕切部材３の係止突起４７を、係止溝２７の入口側から周方向に位置ずれした奥端位置に侵入させて、流路仕切部材３を雄ねじ部材２に対して前後方向に抜け出し不能とする。
【００５８】
続いて、流路仕切部材３のロックピン５６を押し込んでロック状態とする。するとロックピン５６の先端が、雄ねじ部材２において対応するいずれかのロック凹部２６に嵌り込む。これにより、流路仕切部材３は、雄ねじ部材２に対し捻回不能となるため、流路仕切部材３の雄ねじ部材２との組付が意に反して解除されるのを防止することができる。
【００５９】
なお既述したように、槽外取付部材１の内筒部１１内に設けられたＯリング８１によって、その内筒部１１と、流路仕切部材３の円筒部３１との間の水密が図られるとともに、流路仕切部材３の槽内突出部４の後面に設けられたパッキン８４によって、流路仕切部材３の槽内突出部４と、雄ねじ部材２のフランジ部２５との間の水密が図られるようになっている。
【００６０】
また槽内突出部４の後面に開口された調圧流路６ａ，６ｂの流入口６２ａ，６２ｂは、既述したようにパッキン８４の外側に配置されているため、調圧流路流入口６２ａ，６２ｂは、槽内突出部４の後面と、雄ねじ部材２のフランジ部２５との間の隙間を介して、浴槽内に連通（開放）されている。
【００６１】
なお雄ねじ部材２のロック凹部２６および係止溝２７は、周方向に沿って複数設けられており、各ロック凹部２６および各係止溝２７のいずれにも、流路仕切部材３のロックピン５６および係止突起４７を係合できるようになっている。従って流路仕切部材３は、所望の回転位置で取り付けることができるようになっている。本実施形態においては、流路仕切部材３を、その２つの開口４２ａ，４２ｂが下部両側に配置されるような回転位置で取り付けている。
【００６２】
このように流路仕切部材３を組み付けた状態においては、内側流路Ａが、流路仕切部材３の第１連通孔４１ａを通じて、流路仕切部材３の第１流路４３ａに連通されるとともに、外側流路Ｂが、流路仕切部材３の第２連通孔４１ｂを通じて、流路仕切部材３の第２流路４３ｂに連通されている。従って、室外給湯機から槽外取付部材１の第１外管接続部１ａに供給されたお湯（水）は、内側流路Ａおよび第１流路４３ａを通って、第１開口４２ａから浴槽内に吐出されるようになっている。さらに室外給湯機から槽外取付部材１の第２外管接続部１ｂに供給されたお湯（水）は、外側流路Ｂおよび第２流路４３ｂを通って、第２開口４２から浴槽内に吐出されるようになっている。
【００６３】
なお本実施形態の給湯口アダプターにおいて、槽外取付部材１、雄ねじ部材２および流路仕切部材３によって構成されるもの、換言すればカバー部材９が取り付けられない状態のものをアダプター本体と称する。
【００６４】
図４，６，７，１１に示すようにカバー部材９は、フィルター部材９１と、環状取付部材９２と、第１，第２周面フィルター部品９３ａ，９３ｂとを備えている。
【００６５】
フィルター部材９１は、円形の前壁と、その前壁後面側の外周縁に設けられた外周壁とを備えている。このフィルター部材９１の前壁には、多数の小孔からなる前面フィルター部が設けられるとともに、外周壁の下部両側には、上記流路仕切部材３の第１，第２開口４２ａ，４２ｂに対応して、第１，第２開口９１ａ，９１ｂが設けられている。
【００６６】
環状取付部材９２は、二重壁構造の外周壁を有しており、上記フィルター部材９１の外周壁内面に沿って配置された状態で固定可能に構成されている。さらに環状取付部材９２には、フィルター部材９１の開口９１ａ，９１ｂに対応して、２つの開口９２ａ，９２ｂがそれぞれ設けられている。さらに環状取付部材９２の内周面には、流路仕切部材３の係止溝４８に対応して、周方向に間隔をおいて、複数の係止突起９４が設けられている（図４等参照）。
【００６７】
周面フィルター部品９３ａ，９３ｂは、湾曲された帯板形状を有し、環状取付部材９２の外周壁を構成する二重壁間に挿入されることによって、環状取付部材９２の開口９２ａ，９２ｂに取り付けられるようになっている。この周面フィルター部品９３ａ，９３ｂは、環状取付部材９２の開口９２ａ，９２ｂに対応する領域がメッシュシートや多数の小孔によって構成されるフィルター部に形成されている。この周面フィルター部品９３ａ，９３ｂは、環状取付部材９２に対し着脱可能に構成されており、本実施形態においては後述するように、２つの周面フィルター部品９３ａ，９３ｂのうち、吐出側の開口に対応する周面フィルター部品を取り外すようにしている。
【００６８】
この構成のカバー部材９を、アダプター本体に組み付けるには、カバー部材９の外周壁を、流路仕切部材３の槽内突出部４にその前面側から外嵌しつつ、カバー部材９の係止突起９４を、槽内突出部４側の係止溝４８に前面側から挿入する。その後、カバー部材９を周方向に少量捻回操作することにより、カバー部材９の係止突起９４を、係止溝４８の入口側から周方向に位置ずれした奥端位置に侵入させる。これにより、カバー部材９を槽内突出部４に対し前方へ抜け止め不能とした状態に組み付ける。なお必要に応じて、カバー部材９を上記と反対方向に捻回操作して、カバー部材９の係止突起９４を、係止溝４８の奥端位置から入口側に移動させれば、カバー部材９を槽内突出部４から取り外すことができるようになる。
【００６９】
なお言うまでもなく、カバー部材９をアダプター本体に組み付けた状態では、カバー部材９におけるフィルター部材９１および環状取付部材９２の各開口９１ａ，９１ｂ，９２ａ，９２ｂが、アダプター本体の流路仕切部材３における第１，第２開口４２ａ，４２ｂに対応してそれぞれ配置される。
【００７０】
以上のように構成された本実施形態の給湯口アダプターは、既述したように、室外給湯機と配管接続する際に、槽外取付部材１における２つの外管接続部１ａ，１ｂに対して、室外給湯機につながる往き管および戻り管のどちらを接続しても使用可能な無極性タイプのものである。例えば第１外管接続部１ａに往き管、第２外管接続部１ｂに戻り管を接続した状態において、追い焚き処理を行った場合には、給湯機から供給されるお湯が往き管および第１外管接続部１ａを通って内側流路Ａに導入され、さらにそのお湯が内側流路Ａおよび流路仕切部材３の第１流路４３ａを通って、流路仕切部材３の第１開口４２ａおよびカバー部材９の第１開口９１ａ，９２ａを通って、浴槽内に供給される。
【００７１】
吸込側では、給湯機の吸引力によって、戻り管および外側流路Ｂが負圧に設定されるため、流路仕切部材３の第２流路４３ｂも負圧となる。従って、浴槽内のお湯（水）は、カバー部材９の第２開口９１ｂ，９２ｂおよび流路仕切部材３の第２開口４２ｂを通って、流路仕切部材３の第２流路４３ｂに吸い込まれて、さらにその湯が外側流路Ｂおよび戻り管を通って給湯機に戻される。
【００７２】
従ってこように配管接続された場合には、第２開口４２ｂが、吸引側の一方の開口（吸引口）として構成され、第２流路４３ｂが、吸引側の一方の流路（吸引流路）として構成される。
【００７３】
一方、第２外管接続部１ｂに往き管、第１外管接続部１ａに戻り管を接続した状態で、追い焚き処理を行った場合には、上記とは逆方向に循環する。すなわち給湯機からのお湯が、往き管、第２外管接続部１ｂ、外側流路Ｂ、第２流路４３ｂおよび第２開口４２ｂ、９１ｂ，９２ｂを通って浴槽内に供給されるとともに、浴槽内のお湯は、第１開口９１ａ，９２ａ，４２ａ、第１流路４３ａ、内側流路Ａ、第１外管接続部１ａおよび戻り管を通って給湯機に戻される。
【００７４】
従ってこのように配管接続された場合には、第１開口４２ａが、吸引側の一方の開口（吸引口）として構成され、第１流路４３ａが、吸引側の一方の流路（吸引流路）として構成される。
【００７５】
本実施形態では、カバー部材９において、第１，第２周面フィルター部品９３ａ，９３ｂのうち、追い焚き時に吸込側に配置される周面フィルター部品のみが残されて、吐出側に配置される周面フィルター部品は取り外される。例えばカバー部材９の第１開口９１ａ，９２ａが吐出側となる場合には、その開口９１ａ，９２ａに対応する第１周面フィルター部品９３ａが取り外されるとともに、第２開口９１ｂ，９２ｂが吐出側となる場合には、第２周面フィルター部品９３ｂが取り外される。従って本実施形態においては、吐出側の開口に障害がなく、流通抵抗が小さくなるため、お湯を効率良くスムーズに浴槽内に吐出することができる。
【００７６】
以上のように構成された本実施形態の給湯口アダプターによれば、調圧流路６ａ，６ｂを設けているため、カバー部材９を取り外した状態で使用した際、流路仕切部材３の開口４２ａ，４２ｂのうち吸引側の開口、例えば第２開口（「吸引口」とも称する）４２ｂから、髪の毛が吸い込まれたとしても、その髪の毛を簡単に抜き取ることができる。すなわち吸引口４２ｂから髪の毛が吸い込まれた際には、吸引口４２ｂが髪の毛により閉塞されるため、一時的に、流路仕切部材３の第２流路（「吸引流路」とも称する）４３ｂ内の負圧が高くなり、吸引力が増加するものの、その負圧の上昇に伴って、吸引流路４３ｂに連通される第２調圧流路６ｂの流入口６２ｂから浴槽内のお湯が吸い込まれて、そのお湯が調圧流路６ｂを通って吸引流路４３ｂ内に吸い込まれる。これにより、吸引流路４３ｂ内の負圧が低減されて、吸引力も低下するため、吸引口４２ｂに吸い込まれた髪の毛を、弱い力で簡単に抜き取ることができる。
【００７７】
なお言うまでもなく、流路仕切部材３の第１開口４２ａ側が吸引口となる場合であっても、その吸引口４２ａから髪の毛が吸い込まれた際には、第１調圧流路６ａからお湯が吸い込まれることにより、負圧が低減されるため、髪の毛を簡単に抜き取ることができる。
【００７８】
ところで特許文献２（特開２００３−９０６２８号公報）に示す従来の給湯口アダプターのように、負圧軽減開口部を、槽内突出部の前面における周面吸引口に隣接した位置に形成する場合には、周面吸引口から髪の毛が吸い込まれた際に、残りの他の髪の毛によって、負圧軽減開口部が閉塞されてしまうことがある。そうすると、内部の吸引流路の負圧を低減できず、吸引力を低減できないため、髪の毛を抜き取ることが困難になってしまうおそれがある。しかも、特許文献２の給湯口アダプターのように、吸引流路上に負圧軽減開口部を形成した場合には、周面吸引口から吸い込まれた髪の毛によって、負圧軽減開口部が内側から閉塞されることもあり、そうすると、負圧を軽減できず、髪の毛を抜き取ることが、より一層困難になってしまうことがある。
【００７９】
これに対し、本実施形態においては、調圧流路６ａ，６ｂの流入口６２ａ，６２ｂを、流路仕切部材３における槽内突出部４の後面（裏面）に配置しているため、その調圧流路流入口６２ａ，６２ｂが、槽内突出部４によって隠蔽されるとともに、第１，第２開口４２ａ，４２ｂから離間して配置される。このため、第１または第２開口４２ａ，４２ｂに髪の毛が吸い込まれた際に、他の髪の毛によって調圧流路流入口６２ａ，６２ｂが閉塞されるようなことがなく、髪の毛吸込時に、より確実に負圧を低減させることができる。
【００８０】
さらに本実施形態では、調圧流路６ｂを介して、吸引流路４３ｂと調圧流路流入口６２ｂとを連通させているため、仮に吸引口４２ｂから髪の毛が吸い込まれたとしても、その髪の毛によって、内側から調圧流路流入口６２ｂが閉塞されることがない。このため、髪の毛が吸い込まれた際には、調圧流路流入口６２ｂおよび調圧流路６ｂを通って確実にお湯が吸い込まれ、より一層確実に負圧を低減できて、髪の毛を簡単かつ確実に抜き取ることができる。
【００８１】
ここで本実施形態において、調圧流路６ａ，６ｂの流入口６２ａ，６２ｂを構成する各小孔（小径貫通孔）の外径寸法（直径）を０．５〜０．７ｍｍに設定するのが良い。
【００８２】
また、本実施形態の給湯口アダプターでは、カバー部材９における周面フィルター部品９３ａ，９３ｂのうち、吸引側には周面フィルター部品が配置されているため、カバー部材を取り付けた状態では、吸引側の開口４２ａまたは４２ｂから髪の毛が吸い込まれるようなことはない。ところが、アダプター取付作業者が謝って吸引側の周面フィルター部品を取り除いてしまった場合に、髪の毛が開口４２ａまたは４２ｂから吸い込まれたとしても、調圧流路６ａまたは６ｂからお湯が吸引されることにより負圧が低減されるため、髪の毛を簡単に抜き取ることができる。
【００８３】
また本実施形態においては、槽内突出部４内の吸引流路４３ｂにおける吸引口４２ｂの近傍には、格子状部材４５を設けているため、吸引口４２ｂから髪の毛が吸い込まれた際に、より一層確実に抜き取ることができる。
【００８４】
すなわち格子状部材４５のない上記特許文献２の給湯口アダプター等においては、吸引口から吸い込まれた髪の毛が、際限なく奥部まで吸い込まれていき、奥部の複雑な流路内で髪の毛が団子状に絡まり合ってしまい、髪の毛を抜き取るのが非常に困難になってしまう。
【００８５】
これに対し、本実施形態では、吸引口４２ｂから吸い込まれた髪の毛は、格子状部材４５に引っかかって、奥部に引き込まれていくのを確実に防止することができる。このため、髪の毛が奥部で団子状に絡まり合うの防止でき、髪の毛をより一層確実に抜き取ることができる。
【００８６】
なお本実施形態の給湯口アダプターは、ダブル搬送方式によって湯はりを行うものである。すなわち湯はり時には、給湯機から往き管および戻り管の双方にお湯が供給され、そのお湯が、アダプター本体の内側および外側流路Ａ，Ｂ、第１および第２流路４３ａ，４３ｂを通って第１および第２開口４２ａ，４２ｂの双方から浴槽内に供給されるものである。
【００８７】
＜第２実施形態＞
図１２〜１４はこの発明の第２実施形態である給湯口アダプターを示す図である。これらの図に示すように、この第２実施形態の給湯口アダプターは、流路仕切部材３における調圧流路６ａ，６ｂの構成が、上記第１実施形態の給湯口アダプターのものと相違する。
【００８８】
すなわち本実施形態において、流路仕切部材３における槽内突出部４内の上側部には、中間部から側方（外径方向）に延びる第１，第２調圧流路６ａ，６ｂが設けられている。この第１，第２調圧流路６ａ，６ｂの内端側は、第１，第２流路４３ａ，４３ｂに連通されており、各連通部が、流出口６１ａ，６１ｂとして構成されている。さらに槽内突出部４の外周壁４２には、調圧流路６ａ，６ｂの外端位置に対応して、第１，第２流入口６２ａ，６２ｂが形成されており、この第１，第２流入口６２ａ，６２ｂを介して、調圧流路６ａ，６ｂが浴槽内に開放されている。
【００８９】
またこの調圧流路流入口６２ａ，６２ｂは、お湯の流入方向が途中で折れ曲がるように、正面断面視において「く」の字状ないし「Ｌ」字状の複数のスリットによって構成されており、浴槽内の髪の毛等の異物が、調圧流路流入口６２ａ，６２ｂから吸い込まれないようにしている。
【００９０】
本第２実施形態の給湯口アダプターにおいて、他の構成は、上記第１実施形態の給湯口アダプターと実質的に同一であるため、同一または相当部分に、同一符号を付して重複説明は省略する。
【００９１】
この第２実施形態の給湯口アダプターにおいても、上記第１実施形態と同様に、同様の作用効果を得ることができる。
【００９２】
さらにこの給湯口アダプターにおいても、カバー部材９を取り外した状態で使用した場合に、吸引側となる開口、例えば第２開口（吸引口）４２ｂから、髪の毛が吸い込まれたとしても、その髪の毛を簡単に抜き取ることができる。すなわち吸引口４２ｂから髪の毛が吸い込まれた際には、吸引口４２ｂが髪の毛により閉塞されるため、一時的に、流路仕切部材３の第２流路（吸引流路）４３ｂ内の負圧が高くなり、吸引力が増加するものの、負圧の上昇に伴って、吸引流路４３ｂに連通される第２調圧流路６ｂの流入口６２ｂから浴槽内のお湯が吸い込まれて、そのお湯が調圧流路６ｂを通って吸引流路４３ｂ内に吸い込まれる。これにより、吸引流路４３ｂ内の負圧が低減されて、吸引力も低下するため、吸引口４２ｂに吸い込まれた髪の毛を簡単に抜き取ることができる。なお言うまでもなく、流路仕切部材３の第１開口４２ａ側が吸引口となる場合であっても、その吸引口４２ａから髪の毛が吸い込まれた際には、第１調圧流路６ａからお湯が吸い込まれることにより、負圧が低減されるため、髪の毛を簡単に抜き取ることができる。
【００９３】
しかも、本第２実施形態においては、調圧流路６ａ，６ｂの流入口６２ａ，６２ｂを、槽内突出部４における外周壁４２の両側上部に形成しているため、第１または第２開口４２ａ，４２ｂに髪の毛が吸い込まれた際に、残りの他の髪の毛等によって調圧流路６ａ，６ｂの流入口６２ａ，６２ｂが閉塞されるようなことがほとんどなく、髪の毛吸込時において、より確実に負圧を低減させることができ、髪の毛を簡単に抜き取ることができる。
【００９４】
ここで本第２実施形態において、調圧流路６ａ，６ｂの流入口６２ａ，６２ｂを構成する各スリットの幅を０．５〜０．７ｍｍに設定するのが良い。すなわちこのような特定範囲内で調圧流路６ａ，６ｂを形成することによって、流入口６２ａ，６２ｂからの異物の侵入を確実に防止しつつ、上記した髪の毛吸引時の負圧低減効果を、より確実に得ることができる。
【００９５】
なお、本第２実施形態においては、槽内突出部４にカバー部材９を取り付けた際には、そのカバー部材９によって、調圧流路流入口６２ａ，６２ｂが閉塞されてしまうが、上記第１実施形態で述べたように、槽内突出部４の第１，第２開口４２ａ，４２ｂのうち、吸引側となる一方の開口には、周面フィルター部品９３ａまたは９３ｂが配置されるため、その開口４２ａ，４２ｂから髪の毛等が吸い込まれるのを確実に防止することができる。
【００９６】
また本第２実施形態においては、調圧流路流入口６２ａ，６２ｂが、槽内突出部４における外周側面に設けられているため、カバー部材９を取り外した際には、調圧流路流入口６２ａ，６２ｂを露出させることができる。このため、施工業者に限られず、使用者によっても、カバー部材９を取り外すだけで簡単に、調圧流路流入口６２ａ，６２ｂの清掃を行うことができ、調圧流路流入口６２ａ，６２ｂの目詰まり等の不具合を確実に防止することができる。
【００９７】
＜第３実施形態＞
図１５〜１８はこの発明の第３実施形態である給湯口アダプターを示す図である。これらの図に示すように、本第３実施形態の給湯口アダプターは、流路仕切部材３における前壁５に、調圧流路６ａ，６ｂに対応して流入口６２ａ，６２ｂが設けられている。この流入口６２ａ，６２ｂは、上記第１実施形態と同様に多数の小径貫通孔（小孔）によって構成されている。なお流入口６２ａ，６２ｂを構成する各小孔（小径貫通孔）の外径寸法（直径）は、上記第１実施形態と同様に０．５〜０．７ｍｍに設定するのが良い。
【００９８】
その他の構成は、上記第１実施形態と実質的に同様であるため、同一または相当部分に同一符号を付して、重複説明は省略する。
【００９９】
この第３実施形態の給湯口アダプターにおいても、上記実施形態と同様に、同様の作用効果を得ることができる。
【０１００】
例えばこの給湯口アダプターにおいて、カバー部材９を取り外した状態で使用した場合に、吸引側となる開口、例えば第２開口（吸引口）４２ｂから、髪の毛が吸い込まれたとしても、その髪の毛を簡単に抜き取ることができる。すなわち吸引口４２ｂから髪の毛が吸い込まれた際には、吸引口４２ｂが髪の毛により閉塞されるため、一時的に、流路仕切部材３の第２流路（吸引流路）４３ｂ内の負圧が高くなり、吸引力が増加するものの、負圧の上昇に伴って、吸引流路４３ｂに連通される第２調圧流路６ｂの流入口６２ｂから浴槽内のお湯が吸い込まれて、そのお湯が調圧流路６ｂを通って吸引流路４３ｂ内に吸い込まれる。これにより、吸引流路４３ｂ内の負圧が低減されて、吸引力も低下するため、吸引口４２ｂに吸い込まれた髪の毛を簡単に抜き取ることができる。なお言うまでもなく、流路仕切部材３の第１開口４２ａ側が吸引口となる場合であっても、その吸引口４２ａから髪の毛が吸い込まれた際には、第１調圧流路６ａからお湯が吸い込まれることにより、負圧が低減されるため、髪の毛を簡単に抜き取ることができる。
【０１０１】
しかも、本第３実施形態の給湯口アダプターは、槽内突出部４の前面（前壁５）に調圧流路流入口６２ａ，６２ｂを形成するものの、流入口６２ａ，６２ｂと、第１，第２流路４３ａ，４３ｂとを調圧流路６ａ，６ｂを介して連通させるものであるため、第１，第２開口（吸引口）４２ａ，４２ｂから流入口６２ａ，６２ｂを遠ざけて配置することができる。このため、第１または第２開口４２ａ，４２ｂに髪の毛が吸い込まれた際に、残りの他の髪の毛等によって調圧流路６ａ，６ｂの流入口６２ａ，６２ｂが閉塞されるのを防止でき、髪の毛吸込時において、より確実に負圧を低減させることができ、髪の毛を簡単に抜き取ることができる。
【０１０２】
さらに本第３実施形態においても、上記第２実施形態と同様に、カバー部材９を取り外した際には、調圧流路流入口６２ａ，６２ｂを露出させることができるため、カバー部材９を取り外すだけで簡単に、調圧流路流入口６２ａ，６２ｂの清掃を行うことができ、調圧流路流入口６２ａ，６２ｂの目詰まり等の不具合を確実に防止することができる。
【０１０３】
なお、本第３実施形態においても、上記と同様、槽内突出部４にカバー部材９を取り付けた際には、そのカバー部材９によって、調圧流路流入口６２ａ，６２ｂが閉塞されてしまうが、上記第２実施形態で述べたように、槽内突出部４の第１，第２開口４２ａ，４２ｂのうち、吸引側となる一方の開口には、周面フィルター部品９３ａまたは９３ｂが配置されるため、その開口４２ａ，４２ｂから髪の毛等が吸い込まれるのを確実に防止することができる。
【０１０４】
＜変形例＞
なお、上記実施形態の給湯口アダプターにおいては、湯はり時に、往き管および戻り管の双方で浴槽内にお湯を供給するダブル搬送式のものを用いているが、それだけに限られず、本発明は、湯はり時に、往き管のみからお湯を浴槽内に供給するようにしたシングル搬送式の給湯口アダプターにも適用することができる。
【０１０５】
また上記実施形態においては、無極性タイプの給湯口アダプターを例に挙げて説明しているが、それだけに限られず、本発明においては、有極性タイプの給湯口アダプターにも適用可能である。
【０１０６】
さらに上記実施形態においては、第１，第２の２つの流路４３ａ，４３ｂに対応して、第１，第２の２つの調圧流路６ａ，６ｂを形成するようにしているが、それだけに限られず、本発明においては、少なくとも吸引側の流路（実施形態では第２流路４３ｂ）のみに調圧流路を形成し、吐出側の流路（第１流路４３ａ）には調圧流路（調圧流路流入口）を形成しないようにしても良い。
【０１０７】
もっとも本実施形態のように、無極性タイプの給湯口アダプターの場合には、第１，第２開口４２ａ，４２ｂ（第１，第２流路４３ａ，４３ｂ）のいずれが吸引側になるかは、浴槽に組み付けるまで判らないため、調圧流路等を、第１，第２流路４３ａ，４３ｂの双方に設けておくのが良い。
【０１０８】
また本発明においては、槽内突出部における前面、裏面および外周側面のうち、いずれかの一つの面に第１調圧流路流入口６２ａを設けるとともに、残り２つの面のいずれかに第２調圧流路流入口６２ｂを設けるようにしても良い。例えば第１調圧流路流入口６２ａを前面に設け、第２調圧流路流入口６２ｂを外周側面または裏面に設けるようにしても良い。
【実施例】
【０１０９】
＜実施例１＞
上記図１〜１１に示す第１実施形態の給湯口アダプターを用いて、経済産業省発令の消費生活用製品安全法の規制対象となる給湯口アダプターに対しての髪の毛の吸引に関する評価試験（ＪＩＳ  Ｃ９３３５−２−６０に準拠）を行った。
【０１１０】
この場合、カバー部材を取り外した状態で、図１０（ａ）に向かって左側に配置される第２開口４２ｂ（第２流路４３ｂ）側を吸引側とし、上記の評価試験を１００回行った。そして各試験毎に、引抜力（ニュートン［Ｎ］）を測定し、測定した引抜力値を４Ｎから１Ｎずつ区間分けして、各区間毎の頻度（回数）を求めた。その結果を以下の表１に示す。
【０１１１】
【表１】
0005575524.tif 000002
【０１１２】
表１から理解できるように、引抜力は全て２０Ｎ未満という合格基準を確実にクリアしていた。
【０１１３】
＜実施例２＞
上記第１実施形態の給湯口アダプターを用いて、同様の評価試験を行った。この場合、カバー部材を取り外した状態で、図１０（ａ）に向かって右側に配置される第１開口４２ａ（第１流路４３ａ）側を吸引側とした。その結果を以下の表２に示す。
【０１１４】
表２から理解できるように、引抜力は全て２０Ｎ未満であった。
【０１１５】
【表２】
0005575524.tif 000003
【０１１６】
＜実施例３＞
上記図１２〜１４に示す第２実施形態の給湯口アダプターを用いて、同様の評価試験を行った。この場合、カバー部材を取り外した状態で、図１２に向かって左側に配置される第２開口４２ｂ（第２流路４３ｂ）側を吸引側とした。そして各試験毎の引抜力を測定し、測定した引抜力値を４．５Ｎから１Ｎずつ区間分けして、各区間毎の頻度を求めた。その結果を以下の表３に示す。
【０１１７】
【表３】
0005575524.tif 000004
【０１１８】
表３から理解できるように、引抜力は全て２０Ｎ未満であった。
【０１１９】
＜実施例４＞
上記第２実施形態の給湯口アダプターを用いて、上記実施例３と同様の評価試験を行った。この場合、カバー部材を取り外した状態で、図１２に向かって右側に配置される第１開口４２ａ（第１流路４３ａ）側を吸引側とした。その結果を以下の表３に示す。
【０１２０】
【表４】
0005575524.tif 000005
【０１２１】
表４から理解できるように、引抜力は全て２０Ｎ未満であった。
【０１２２】
＜実施例５＞
上記図１５〜１８に示す第３実施形態の給湯口アダプターを用い、試験回数を３０回とした以外は、同様に評価試験を行った。この場合、カバー部材を取り外した状態で、図１７に向かって左側に配置される第２開口４２ｂ（第２流路４３ｂ）側を吸引側とした。そして各試験毎の引抜力を測定し、測定した引抜力値を４Ｎ以下、４Ｎ超〜６Ｎ、６Ｎ超〜８Ｎ、８Ｎ超〜１０Ｎの区間に区分けして、各区間毎の頻度をそれぞれ求めた。その結果を以下の表５に示す。
【０１２３】
【表５】
0005575524.tif 000006
【０１２４】
表５から理解できるように、引抜力は全て８Ｎ未満であった。
【０１２５】
＜実施例６＞
上記第３実施形態の給湯口アダプターを用いて、上記実施例５と同様の評価試験を行った。この場合、カバー部材を取り外した状態で、図１７に向かって右側に配置される第１開口４２ａ（第１流路４３ａ）側を吸引側とした。その結果を以下の表６に示す。
【０１２６】
【表６】
0005575524.tif 000007
【０１２７】
表６から理解できるように、引抜力は全て１０Ｎ未満であった。
【産業上の利用可能性】
【０１２８】
この発明の浴槽用給湯口アダプターは、例えば一般家庭の浴槽に給湯用金具として利用することができる。
【符号の説明】
【０１２９】
４：槽内突出部
４１：後壁（後面、外面）
４２：外周壁（外周側面、外面）
４２ａ，４２ｂ：第１，第２開口
４３ａ，４３ｂ：第１，第２流路
４５：格子状部材
５：前壁（前面、外面）
６ａ，６ｂ：第１，第２調圧流路
６２ａ，６２ｂ：流入口
９：カバー部材
９１ａ，９１ｂ，９２ａ，９２ｂ：開口
９３ａ，９３ｂ：周面フィルター部品
Ｗ：浴槽側壁
【図１】
0005575524.tif 000008
【図２】
0005575524.tif 000009
【図３】
0005575524.tif 000010
【図４】
0005575524.tif 000011
【図５】
0005575524.tif 000012
【図６】
0005575524.tif 000013
【図７】
0005575524.tif 000014
【図８】
0005575524.tif 000015
【図９】
0005575524.tif 000016
【図１０】
0005575524.tif 000017
【図１１】
0005575524.tif 000018
【図１２】
0005575524.tif 000019
【図１３Ａ】
0005575524.tif 000020
【図１３Ｂ】
0005575524.tif 000021
【図１４】
0005575524.tif 000022
【図１５】
0005575524.tif 000023
【図１６】
0005575524.tif 000024
【図１７】
0005575524.tif 000025
【図１８】
0005575524.tif 000026